(57)【要約】【課題】二次側の光ファイバコードを余長収納部において、破断させることなく収納すると共に、二次側の光ファイバコードを容易に出し入れできるようにした光ファイバ接続切替装置を提供すること。【解決手段】光ファイバ自動接続切替装置Ｓは、一次側の光ファイバコード１と二次側の光ファイバコード２との接続及び接続解除を行うとともに、二次側の光ファイバコード２の余長部２ａを収納する余長収納部１０を備えている。二次側の光ファイバコード２は、断面が縦長の形状にするとともに、その断面の短片の長さがａ、長辺の長さがｂ、余長収納部１０の幅をｃとすると、ｂ＞ｃ＞ａになる。【選択図】      図１
2004294776.tif 000002
【特許請求の範囲】
【請求項１】
一次側の光ファイバコードと二次側の光ファイバコードとの接続及び接続解除を行う光ファイバ接続切替装置において、
前記光ファイバ接続切替装置は、前記二次側の光ファイバコードの余長部を収納する余長収納部を備え、
前記二次側の光ファイバコードは、断面を縦長の形状にすると共に、その断面の短辺の長さがａ、長辺の長さがｂ、前記余長収納部の幅をｃとすると、
ｂ＞ｃ＞ａ
になることを特徴とする光ファイバ接続切替装置。
【請求項２】
前記二次側の光ファイバコードは、少なくとも前記短辺側に、所定間隔で切欠部が形成されていることを特徴とする請求項１に記載の光ファイバ接続切替装置。
【請求項３】
前記余長収納部は、この余長収納部に前記二次側の光ファイバコードを挿入する導入口に、この二次側の光ファイバコードに形成した切欠部の長さより大きい曲率半径でなる弧状のガイドを有することを特徴とする請求項１に記載の光ファイバ接続切替装置。
【発明の詳細な説明】
【０００１】
【発明の属する技術分野】
本発明は、光ファイバネットワーク等に用いられ、光ファイバコードを自動的に接続及び接続解除を行う光ファイバ接続切替装置に関し、特に、その光ファイバ接続切替装置に使用される光ファイバコード及び光ファイバコードの余長収納部の構造に関する。
【０００２】
【従来の技術】
従来、光ファイバ接続切替装置としては、複数の光ファイバコード群に対して、任意の一次側の光ファイバコードと、任意の二次側の光ファイバコードとを接続または接続を解除する機能を有する光ファイバ接続替え装置が開示されている（例えば、特許文献１、非特許文献１及び非特許文献２参照）。
【０００３】
図８は、従来の光ファイバ接続切替装置を示す図で、（ａ）は平面図、（ｂ）は正面図である。
図８に示すように、光ファイバ接続切替装置１００は、光ファイバコード１０１，１０２の接続・抜去をする接続切替作業をロボットのハンド機構１０８を用いて自動的に行う装置である。
光ファイバ接続切替装置１００は、二次側の光ファイバコード１０２の光コネクタプラグ１０３と、一次側の光ファイバコード１０１の光コネクタプラグ１０４を接続する光コネクタアダプタ１０５を複数設けた接続盤１０６と、二次側の光ファイバコード１０２の光コネクタプラグ１０３を整列・保持する整列孔を複数並べて穿設すると共に、接続盤１０６と対向して配置される整列盤１０７と、光コネクタプラグ１０３を把持して二次側の光ファイバコード１０２を引き出し、その光コネクタプラグ１０３を光コネクタアダプタ１０５に対して接続・抜去を行うロボットのハンド機構１０８と、光コネクタアダプタ１０５から光コネクタプラグ１０３を抜き去った二次側の光ファイバコード１０２を巻き取る巻き上げ機構１０９と、巻き取った光ファイバコード１０２を収納する余長収納部１１０と、ハンド機構１０８を接続盤１０６及び整列盤１０７の所望の位置に移動させる移動機構１１１とから構成されている。
【０００４】
次に、従来の光ファイバ接続切替装置１００による光ファイバコード１０２の接続替えの作業工程を説明する。
まず、ハンド機構１０８により接続盤１０６から光コネクタプラグ１０３の接続を解除された光ファイバコード１０２は、巻き上げ機構１０９に設けられたローラ１０９ａによって、整列盤１０７の背面に設けられた余長収納部１１０側に引き出され、余長収納部１１０に二次側の光ファイバコード１０２が収納される。
次に、ハンド機構１０８によって、再度二次側の光ファイバコード１０２の光コネクタプラグ１０３を整列盤１０７から引き出し、再度接続盤１０６上の任意の光コネクタアダプタ１０５に接続される。光ファイバ接続切替装置１００は、この一連の動作により二次側の光ファイバコード１０２の接続替え作業を行うものである。それとともに、光コネクタプラグ１０３が整列盤１０７の整列孔に装着される。
【０００５】
二次側の光ファイバコード１０２の余長部１０２ａは、平常時、図８（ｂ）に実線で示すように、略半円状に曲がった状態で余長収納部１１０内に配線されている。余長部１０２ａの先端部は、余長収納部１１０の内壁に固定されたコード固定部１１２によって、余長収納部１１０内の下端部に保持されている。これにより、二次側の光ファイバコード１０２は、余長収納部１１０とコード固定部１１２とによって、余長部１０２ａが余長収納部１１０内で動くことが抑制されている。
【０００６】
図９は、従来の光ファイバ接続切替装置の余長収納部内に収納された二次側の光ファイバコードの状態を示す図で、（ａ）は光コネクタプラグが光コネクタアダプタから引き出されたときの状態を示す要部概略図、（ｂ）は光コネクタプラグを引き戻した状態を示す要部概略図である。
【０００７】
そして、図９（ａ）の状態から二次側の光ファイバコード１０２が矢印Ａ方向に引き戻されると、余長部１０２ａは、余長収納部１１０の奥側に移動して略Ｕ字状に湾曲する。
図９（ｂ）に示すように、二次側の光ファイバコード１０２が更に矢印Ａ方向に引き戻された場合、二次側の光ファイバコード１０２の余長部１０２ａは、余長収納部１１０内の奥壁１１０ａに当接して、上方に拡がった状態に湾曲して収納される。
【０００８】
図１０は、従来の光ファイバ接続切替装置の余長収納部の斜視図である。
図１０に示すように、光ファイバ接続切替装置１００は、複数の二次側の光ファイバコード１０２をそれぞれ収納する必要があるため、薄い箱型の余長収納部１１０を複数並べて設け、二次側の光ファイバコード１０２の余長部１０２ａ（図９（ａ）、（ｂ）参照）をその余長収納部１１０に内設している。
【０００９】
【特許文献１】
特許第３１８９１４１号明細書（段落番号０００７〜０００９、図１〜図２）
【非特許文献１】
ＮＴＴアフティ株式会社、光配線自動切替装置、［ｏｎｌｉｎｅ］、［２００３年２月２６日検索］、インターネット＜ＵＲＬ：ｈｔｔｐ：／／ｗｗｗ．ｎｔｔ−ａｆｔｙ．ｃｏ．ｊｐ／ｐｒｏｄｕｃｔ／ｍｅｋａ／ｏｍｓ＿１．ｈｔｍｌ＞
【非特許文献２】
ＮＴＴアフティ株式会社、光配線自動切替装置、［ｏｎｌｉｎｅ］、［２００３年２月２６日検索］、インターネット
＜ＵＲＬ：ｈｔｔｐ：／／ｗｗｗ．ｎｔｔ−ａｆｔｙ．ｃｏ．ｊｐ／ｐｒｏｄｕｃｔ／ｍｅｋａ／ｏｍｓ＿１００．ｈｔｍｌ＞
【００１０】
【発明が解決しようとする課題】
しかしながら、特許文献１、非特許文献１及び非特許文献２に記載及び掲載の光ファイバ接続切替装置１００にあっては、図１０に示すように、余長収納部１１０を複数並設すると、光ファイバ接続切替装置１００が水平方向に大きくなるという問題点がある。
この問題点を解消するための手段として、二次側の光ファイバコード１０２の径を細くして、余長収納部１１０を薄くすることが考えられる。
【００１１】
図１１は、従来の光ファイバ接続切替装置の余長収納部内に収納された二次側の光ファイバコードの状態を示す図で、光コネクタプラグを引き戻した状態を示す概略図である。
【００１２】
しかしながら、二次側の光ファイバコード１０２は、径を細くすると、曲げ剛性が不足して、図１１に示すように、余長収納部１１０内の二次側の光ファイバコード１０２は、余長部１０２ａの自重により波を打つように湾曲した状態になる。
このような場合、二次側の光ファイバコード１０２は、余長部１０２ａが所定の曲率半径以下に折曲することにより、余長部１０２ａが曲げ応力によって破断することもあった。
【００１３】
このようなことから、光ファイバコード１０２は、曲げ剛性を強くすることが望まれる。
その光ファイバコード１０２の曲げ剛性を強くする手段としては、材料を見直すこと等があるが、剛性を強くすると光ファイバコード１０２に曲げ癖が付き易くなる等の種々の問題が生じる。
【００１４】
本発明の課題は、二次側の光ファイバコードを余長収納部において、破断させることなく収納すると共に、二次側の光ファイバコードを容易に出し入れできるようにした光ファイバ接続切替装置を提供することにある。
【００１５】
【課題を解決するための手段】
前記課題を解決するために、請求項１に記載の光ファイバ接続切替装置は、一次側の光ファイバコードと二次側の光ファイバコードとの接続及び接続解除を行う光ファイバ接続切替装置において、前記光ファイバ接続切替装置は、前記二次側の光ファイバコードの余長部を収納する余長収納部を備え、前記二次側の光ファイバコードは、断面を縦長の形状にすると共に、その断面の短辺の長さがａ、長辺の長さがｂ、前記余長収納部の幅をｃとすると、ｂ＞ｃ＞ａになることを特徴とする。
【００１６】
請求項１に記載の発明によれば、光ファイバ接続切替装置は、二次側の光ファイバコードを余長収納部内に収納したとき、二次側の光ファイバコードの断面が縦長の形状をしていることにより、水平方向の変形に対して、垂直方向の変化がし難くなるため、余長収納部内で二次側の光ファイバコードが波打つように変形することがなく、高密度に収納することができる。また、二次側の光ファイバコードは、断面の短辺の長さを短くできることにより、二次側の光ファイバコードの横幅が短くなるため、この二次側の光ファイバコードを収納する余長収納部の幅を短くして余長収納部の薄型化を図ることができる。
【００１７】
請求項２に記載の光ファイバ接続切替装置は、請求項１に記載の光ファイバコードの余長収納構造であって、前記二次側の光ファイバコードは、少なくとも前記短辺側に、所定間隔で切欠部が形成されていることを特徴とする。
【００１８】
請求項２に記載の発明によれば、二次側の光ファイバコードの短辺側に切欠部があることにより、二次側の光ファイバコードが湾曲変形すると、その切欠部の内壁同士が当接するため、二次側の光ファイバコードが湾曲変形する円弧の曲率半径が所定以下に短くなることを抑制することができる。このため、二次側の光ファイバコードは、余長収納部内で、滑らかな曲線を描くように変形するようになり、所定よりもその曲線の曲率半径が短くなって、光ファイバコードが折れて破断することを防止することができる。
【００１９】
請求項３に記載の光ファイバ接続切替装置は、請求項１に記載の光ファイバコードの余長収納構造であって、前記余長収納部は、この余長収納部に前記二次側の光ファイバコードを挿入する導入口に、この二次側の光ファイバコードに形成した切欠部の長さより大きい曲率半径でなる弧状のガイドを有することを特徴とする。
【００２０】
請求項３に記載の発明によれば、二次側の光ファイバコードと余長収納部の導入口に、弧状のガイドを設けたことにより、二次側のファイバコードの切欠部が導入口に引っ掛からなくなるため、二次側の光ファイバコードの取り出し及び収納を無理なくスムーズに行うことができるようになる。
【００２１】
【発明の実施の形態】
以下、添付図面を参照して、本発明の各実施の形態に係る光ファイバ接続切替装置を説明する。
なお、各実施の形態の説明において、同一の構成要素に関しては同一の符号を付し、重複した説明は省略するものとする。
【００２２】
［第１実施の形態］
まず、図１〜図３を参照して本発明の第１実施の形態に係る光ファイバ接続切替装置について説明する。
図１は、本発明の第１実施の形態に係る光ファイバ接続切替装置を示す正面図である。
【００２３】
図１に示すように、光ファイバ接続切替装置Ｓは、水平面において、一直線方向であるＸ方向と、このＸ方向に直交するＹ方向と、垂直方向であるＺ方向とに移動自在な移動機構１１を介して、ロボットのハンド機構８が自在に移動して光ファイバコード１，２の接続・抜去をする接続切替作業を自動的に行う装置である。その光ファイバ接続切替装置Ｓは、一次側の光ファイバコード１と、二次側の光ファイバコード２と、光コネクタプラグ３，４と、光コネクタアダプタ５と、接続盤６と、整列盤７と、ロボットのハンド機構８と、巻き上げ機構９と、余長収納部１０と、移動機構１１とから構成されている。
【００２４】
一次側の光ファイバコード１は、例えば、入力側に接続される心（芯線）が１つの光ファイバからなる。
二次側の光ファイバコード２は、例えば、出力側に接続される心（芯線）が１つの光ファイバからなる。この二次側の光ファイバコード２は、略Ｕ字状に湾曲して余長収納部１０に収納される余長部２ａを有している。その余長部２ａは、二次側の光ファイバコード２を矢印Ｂ方向に移動させると、それに連動して余長収納部１０内を矢印Ｃ方向に拡がるように湾曲する。余長部２ａは、コード固定部１２によって余長収納部１０内の下端部に保持されている。
【００２５】
光コネクタプラグ３は、二次側の光ファイバコード２の端末に設置される接続用のプラグからなる。
光コネクタプラグ４は、一次側の光ファイバコード１の端末に設置される接続用のプラグからなる。
【００２６】
光コネクタアダプタ５は、その一次側の光ファイバコード１の光コネクタプラグ４と、二次側の光ファイバコード２の光コネクタプラグ３とを接続する接続具からなる。
【００２７】
接続盤６は、その光コネクタアダプタ５を複数並べて設け、光コネクタアダプタ５を固定する保持具からなる。
【００２８】
整列盤７は、二次側の光ファイバコード２の光コネクタプラグ３を整列・保持する整列孔を複数並べて穿設して、二次側の光ファイバコード２を保持する部材であり、接続盤６と対称的な位置に配置されている。
【００２９】
ハンド機構８は、光コネクタプラグ３を把持して二次側の光ファイバコード２を引き出し、その光コネクタプラグ３を光コネクタアダプタ５に対して、モータ（図示せず）及びベルト（図示せず）等によって自動的に接続・抜去を行うロボットからなる。
【００３０】
巻き上げ機構９は、光コネクタアダプタ５から光コネクタプラグ３を抜き去った二次側の光ファイバコード２を巻き取る装置であり、例えば、巻き取りプーリと巻き取り用のローラとによって構成されている。
【００３１】
余長収納部１０は、その巻き上げ機構９によって巻き取った光ファイバコード２の余長部２ａを収納する空間からなる。
【００３２】
移動機構１１は、ハンド機構８を接続盤６及び整列盤７を所望の位置に移動させる装置からなる。
【００３３】
図２は、本発明の第１実施の形態に係る光ファイバ接続切替装置を示す図で、余長収納部と二次側の光ファイバコードの斜視図である。図３は、図２のＤ部拡大図である。
【００３４】
図２及び図３に示すように、二次側のファイバコード２は、断面が円形の光ファイバの芯線２ｂと、この芯線２ｂを覆う不透明体からなる被覆２ｃとからなる。その二次側のファイバコード２の断面は、縦長で、回転非対称形状である長方形からなり、水平方向の短辺の長さがａ、垂直方向の長辺の長さがｂである。また、余長収納部１０の幅は、ｃである。
ここで、二次側の光ファイコード２の短辺の長さａ、長辺の長さｂ、余長収納部１０の幅ｃとの関係は、
ｂ＞ｃ＞ａ
の長さ関係がある。
これにより、余長収納部１０内において、二次側の光ファイバコード２は、断面が垂直方向に長い縦長の長方形になることにより、垂直方向での曲げ剛性を有することになるため、垂直方向の剛性を確保することができる。このため、二次側の光ファイバコード２の余長部２ａは、その曲げ剛性を有することにより、湾曲変形したとしても曲率半径が大きい曲線にしか変形しないため、曲げ応力によって芯線２ｂが余長収納部１０内にて折れて破断することを防止することができる。
【００３５】
また、二次側のファイバコード２は、水平方向に長さａが短いことにより、この二次側のファイバコード２を収納する余長収納部１０の幅ｃを短くして、水平方向に薄くすることができる。
【００３６】
二次側のファイバコード２は、断面が長方形で、この二次側のファイバコード２の余長部２ａが収納される余長収納部１０内に垂直方向のみ移動できるように、左右の内壁間に介在されている。このため、余長部２ａは、二次側のファイバコード２が移動したとき、余長収納部１０の左右内壁によって、水平方向に振れずに湾曲変形する。
【００３７】
また、二次側の光ファイバコード２は、余長収納部１０の幅ｃより二次側のファイバコード２の長辺の長さｂが長いため、余長収納部１０内で二次側の光ファイバ２がねじれることを防止することができる。
【００３８】
［第２実施の形態］
次に、図４を参照して本発明の第２実施の形態に係る光ファイバ接続切替装置を説明する。
図４は、本発明の第２実施の形態に係る光ファイバ接続切替装置を示す図で、（ａ）は断面形状が楕円形の二次側の光ファイバコードを示す断面図、（ｂ）は断面形状が３つの円形を縦添えした二次側の光ファイバコードを示す断面図、（ｃ）は断面形状が三角形の二次側の光ファイバコードを示す断面図、（ｄ）は断面形状が菱形の二次側の光ファイバコードを示す断面図である。
【００３９】
図４（ａ）〜図４（ｄ）に示すように、第２実施の形態は、二次側の光ファイバコード２の種々な変形例を示すものである。
図４（ａ）に示すように、二次側の光ファイバコード２は、水平方向の短辺の長さａより長い垂直方向の長辺の長さｂを有する断面が楕円形の光ファイバコード２１であってもよい。二次側の光ファイバコード２１は、このように断面が垂直方向に長い楕円形のものであっても、第１の実施の形態と同様に垂直方向に対する曲げ剛性を備えることができる。二次側の光ファイバコード２１は、その曲げ剛性を有することにより、湾曲変形したとしても曲率半径が大きい曲線にしか変形しないため、曲げ応力によって芯線２１ａが折れて破断することを防止することができる。なお、二次側の光ファイバコード２１は、中央部に断面が円形の芯線２１ａを有する。
【００４０】
図４（ｂ）に示すように、二次側の光ファイバコード２は、断面が円形の光ファイバコード２の上下に、断面が円形等のコード状の補強部材１３を隣設した光ファイバコード２２であってもよい。二次側の光ファイバコード２２は、このような補強部材１３，１３によって垂直方向から挟持されることにより、第１の実施の形態と同様に垂直方向に対する曲げ剛性を備えることができる。二次側の光ファイバコード２２は、その曲げ剛性を有することにより、湾曲変形したとしても曲率半径が大きい曲線にしか変形しないため、曲げ応力によって芯線２２ａが折れて破断することを防止することができる。なお、二次側の光ファイバコード２２は、中央部に断面が円形の芯線２２ａを有する。
【００４１】
図４（ｃ）に示すように、二次側の光ファイバコード２は、水平方向の短辺の長さａより長い垂直方向の長さｂを有する断面が三角形の光ファイバコード２３であってもよい。二次側の光ファイバコード２３は、このように断面が垂直方向に長い三角形のものであっても、第１の実施の形態と同様に垂直方向に対する曲げ剛性を備えることができる。二次側の光ファイバコード２３は、その曲げ剛性を有することにより、湾曲変形したとしても曲率半径が大きい曲線にしか変形しないため、曲げ応力によって芯線２３ａが折れて破断することを防止することができる。なお、二次側の光ファイバコード２３は、中央部に断面が円形の芯線２３ａを有する。
【００４２】
図４（ｄ）に示すように、二次側の光ファイバコード２は、水平方向の長さａより長い垂直方向の長さｂを有する断面が菱形の光ファイバコード２４であってもよい。二次側の光ファイバコード２４は、このように断面が垂直方向に長い菱形のものであっても、第１の実施の形態と同様に垂直方向に対する曲げ剛性を備えることができる。二次側の光ファイバコード２４は、その曲げ剛性を有することにより、湾曲変形したとしても曲率半径が大きい曲線にしか変形しないため、曲げ応力によって芯線２４ａが折れて破断することを防止することができる。なお、二次側の光ファイバコード２４は、中央部に断面が円形の芯線２４ａを有する。
【００４３】
［第３実施の形態］
次に、図５（ａ）〜図５（ｄ）を参照して本発明の第３実施の形態に係る光ファイバ接続切替装置を説明する。
図５は、本発明の第３実施の形態に係る光ファイバ接続切替装置を示す図で、（ａ）は二次側の光ファイバコードの正面図、（ｂ）は二次側の光ファイバコードの平面図、（ｃ）は二次側の光ファイバコードの側面図、（ｄ）は二次側の光ファイバコードを曲げた状態を示す正面図である。
第３実施の形態は、図５（ａ）、（ｂ）、（ｃ）に示すように、光ファイバ接続切替装置に使われる二次側の光ファイバコード２５の短辺側の上下面２５ａ，２５ｂに、切欠部２５ｃを形成したものである。
【００４４】
図５（ｃ）に示すように、二次側の光ファイバコード２５は、断面が垂直方向に長い長方形をしている。二次側の光ファイバコード２５は、中央部に断面が円形の芯線２５ｄを有する。
図５（ａ）、（ｂ）に示すように、二次側の光ファイバコード２５は、上面２５ａ及び下面２５ｂに、所定間隔で、幅方向に切欠部２５ｃを形成している。切欠部２５ｃは、二次側の光ファイバコード２５の長手方向に対して直角な方向に向って形成されており、例えば、三角形の溝状に形成されている。
【００４５】
図５（ｄ）に示すように、二次側の光ファイバコード２５は、切欠部２５ｃを形成したことにより、ある一定の曲率変形することが備わり、所定範囲内で弾性変形し易くなる。また、二次側の光ファイバコード２５は、湾曲変形したときに、切欠部２５ｃを形成する内壁面同士が当接することにより、二次側の光ファイバコード２５が所定以下の曲率半径に曲がらなくなるため、二次側の光ファイバコード２５が湾曲変形する円弧の曲率半径を抑制することができる。これにより、二次側の光ファイバコード２５は、余長収納部１０（図１参照）内で、滑らかな曲線を描くよう変形するが、所定よりもその曲線の曲率半径が短くなって、光ファイバコード２５が曲げ応力によって破断することを防止することができる。
【００４６】
［第４実施の形態］
次に、図６及び図７を参照して本発明の第４実施の形態に係る光ファイバ接続切替装置を説明する。
図６は、本発明の第４実施の形態に係る光ファイバ接続切替装置を示す図で、余長収納部に挿入した二次側の光ファイバコードの取り付け状態を示す断面図である。
【００４７】
図６に示すように、余長収納部１０には、光ファイバコード２５の挿入を案内するガイド１０ｂが、二次側のファイバコード２５の導入口１０ａの上下方向に設置されている。ガイド１０ｂは、例えば、導入口１０ａの外側の垂直方向に向けて湾曲した板状の部材からなり、少なくとも導入口１０ａ内の上下に固着されている。ガイド１０ｂは、樹脂製または金属製の部材からなり、導入口１０ａに嵌着またはかしめて固定される。
【００４８】
図７は、本発明の第４実施の形態に係る光ファイバ接続切替装置を示す図で、光ファイバコードガイドと二次側の光ファイバコードの切欠部の関係を示す断面図である。
図７に示すように、二次側の光ファイバコード２５の導入口１０ａには、切欠部２５ｃの長さｅより大きい曲率半径ｄを有する弧形状の光ファイバコード２５のガイド１０ｂが少なくとも上下に配設されている。
これにより、二次側の光ファイバコード２５は、余長収納部１０から出し入れする際に、切欠部２５ｃが導入口１０ａに引っ掛かることがなく、スムーズに光ファイバコード２５の出し入れを行うことができる。
【００４９】
なお、本発明は、前記第１〜第４実施の形態に限定されるものではなく、その技術思想の範囲内で種々の改造及び変更が可能であり、本発明はこれら改造及び変更された発明にも及ぶことは勿論である。
例えば、光ファイバ接続切替装置及び余長収納部は、設置する箇所に応じて適宜に横置きにして使用してもよい。
【００５０】
【発明の効果】
以上説明したように、本発明の請求項１に記載の光ファイバ接続切替装置によれば二次側の光ファイバコードの断面が縦長の形状をしていることにより、水平方向の変形に対して、垂直方向の変化がし難くなるため、余長収納部内で二次側の光ファイバコードが波打つように変形することがなく、高密度に収納することができる。また、二次側の光ファイバコードは、断面の短辺の長さを短くできることにより、二次側の光ファイバコードの横幅が短くなるため、この二次側の光ファイバコードを収納する余長収納部の幅を短くして余長収納部の薄型化を図ることができる。
【００５１】
本発明の請求項２に記載の光ファイバ接続切替装置によれば、二次側の光ファイバコードの短辺側に切欠部があることにより、二次側の光ファイバコードが湾曲変形すると、その切欠部の内壁同士が当接するため、二次側の光ファイバコードが湾曲変形する曲線の曲率半径が所定以下に短くなることを抑制することができる。このため、二次側の光ファイバコードは、余長収納部内で、滑らかな曲線を描くように変形するようになり、所定よりもその曲線の曲率半径が短くなって、光ファイバコードが折れて破断することを防止することができる。
【００５２】
請求項３に記載の光ファイバ接続切替装置によれば、二次側の光ファイバコードと余長収納部の導入口に、弧状のガイドを設けたことにより、二次側のファイバコードの切欠部が導入口に引っ掛からなくなるため、二次側の光ファイバコードの取り出し及び収納を無理なくスムーズに行うことができるようになる。
【図面の簡単な説明】
【図１】本発明の第１実施の形態に係る光ファイバ接続切替装置を示す正面図である。
【図２】本発明の第１実施の形態に係る光ファイバ接続切替装置を示す図で、余長収納部と二次側の光ファイバコードの斜視図である。
【図３】図２のＤ部拡大図である。
【図４】本発明の第２実施の形態に係る光ファイバ接続切替装置を示す図で、（ａ）は断面形状が楕円形の二次側の光ファイバコードを示す断面図、（ｂ）は断面形状が３つの円形を縦添えした二次側の光ファイバコードを示す断面図、（ｃ）は断面形状が三角形の二次側の光ファイバコードを示す断面図、（ｄ）は断面形状が菱形の二次側の光ファイバコードを示す断面図である。
【図５】本発明の第３実施の形態に係る光ファイバ接続切替装置を示す図で、（ａ）は二次側の光ファイバコードの正面図、（ｂ）は二次側の光ファイバコードの平面図、（ｃ）は二次側の光ファイバコードの側面図、（ｄ）は二次側の光ファイバコードを曲げた状態を示す正面図である。
【図６】本発明の第４実施の形態に係る光ファイバ接続切替装置を示す図で、余長収納部に挿入した二次側の光ファイバコードの取り付け状態を示す断面図である。
【図７】本発明の第４実施の形態に係る光ファイバ接続切替装置を示す図で、光ファイバコードガイドと二次側の光ファイバコードの切欠部の関係を示す断面図である。
【図８】従来の光ファイバ接続切替装置を示す図で、（ａ）は平面図、（ｂ）は正面図である。
【図９】従来の光ファイバ接続切替装置の余長収納部内に収納された二次側の光ファイバコードの状態を示す図で、（ａ）は光コネクタプラグが光コネクタアダプタから引き出されたときの状態を示す要部概略図、（ｂ）は光コネクタプラグを引き戻した状態を示す要部概略図である。
【図１０】従来の光ファイバ接続切替装置の余長収納部の斜視図である。
【図１１】従来の光ファイバ接続切替装置の余長収納部内に収納された二次側の光ファイバコードの状態を示す図で、光コネクタプラグを引き戻した状態を示す概略図である。
【符号の説明】
１  一次側の光ファイバコード
２，２１，２２，２３，２４，２５  二次側の光ファイバコード
２ａ  余長部
３  二次側の光コネクタプラグ
４  一次側の光コネクタプラグ
５  光コネクタアダプタ
６  接続盤
７  整列盤
１０  余長収納部
１０ａ  導入口
１０ｂ  ガイド
２５ｃ  切欠部
ａ  短辺の長さ
ｂ  長辺の長さ
ｃ  余長収納部の幅
ｄ  ガイドの曲率半径
ｅ  切欠部の長さ
Ｓ  光ファイバ接続切替装置
【図１】
2004294776.tif 000003
【図２】
2004294776.tif 000004
【図３】
2004294776.tif 000005
【図４】
2004294776.tif 000006
【図５】
2004294776.tif 000007
【図６】
2004294776.tif 000008
【図７】
2004294776.tif 000009
【図８】
2004294776.tif 000010
【図９】
2004294776.tif 000011
【図１０】
2004294776.tif 000012
【図１１】
2004294776.tif 000013